(57)【特許請求の範囲】
【請求項１】
フロントガラス側部の傾斜窓枠からルーフ側部の後部シート側にわたって設けられる自動車用のルーフバイザーであって、窓枠側部の傾斜バイザー部分にルーフ前部側のバイザー部分を一体に連ねた前部バイザーと、これとは別体のルーフ後部のバイザーと、これらの前後部のバイザーにわたる化粧カバーとから成り、かつ、前後部のバイザーの内側面に、自動車本体に対するバイザー取り付け金具を設けてあり、前記バイザー取り付け金具が、前後部のバイザーのそれぞれに一体化されて自動車本体のドリップモールに上方から係合する第１金具と、ドリップモールに下方から係合して第１金具にビス止めされる第２金具とから成り、かつ、上記のビスによって第１及び第２金具間に共締めされる連結金具を、前部バイザーの後部側のバイザー取り付け金具と、後部バイザーの前部側のバイザー取り付け金具とにわたって連結可能に備えると共に、この連結金具に前記化粧カバーをビス止めするように構成してあることを特徴とする自動車用のルーフバイザー。
【請求項２】
前記化粧カバーの内側面に、この化粧カバーとによって前部バイザーの後部側と後部バイザーの前部側とを差し込み保持するバイザー保持部材を設けて、化粧カバーを前後部のバイザーに預け持たせるように構成してある請求項１に記載された自動車用のルーフバイザー。
【請求項３】
前後部のバイザーのルーフに対面する耳部に、バイザー貼着用の離型紙付き両面粘着テープを設けてある請求項１又は２に記載された自動車用のルーフバイザー。
【請求項４】
前後部のバイザーの耳部間にシール材を設けてある請求項３に記載された自動車用のルーフバイザー。
【発明の詳細な説明】
【０００１】
【発明の属する技術分野】
本発明は、フロントガラス側部の傾斜窓枠からルーフ側部の後部シート側にわたって設けられる自動車用のルーフバイザーに関するものである。
【０００２】
【従来の技術】
上記のルーフバイザーは、運転手の操縦性が損なわれないように、窓枠側部の傾斜バイザー部分を透明にする必要性があることから、一般には、例えばポリカーボネイトやアクリルなどの透明の合成樹脂材によって射出成形されている。
【０００３】
一方、バイザーを取り付ける自動車のルーフ縁部の形状は、自動車メーカー毎で全く異なることは勿論であるが、同一メーカーの同一車種であっても、排気量によっては車体のサイズに関連してルーフ縁部の形状が当然に異なり、また、同一メーカーの排気量がほゞ同じの同一車種であっても、例えばワゴンタイプとセダンタイプとではルーフの形状が微妙に異なるものである。
【０００４】
即ち、全てとは言い切れないが、同一メーカーの排気量が異なる同一車種の自動車では、フロントガラス側部の傾斜窓枠を含む前部シート側のルーフ縁部の形状が互いに同じであるのに対して、後部シート側のルーフ縁部の形状が、車体のサイズに関連して形状的にも寸法的にもやゝ異なるのである。
【０００５】
また、同一メーカーの排気量がほゞ同じの同一車種であっても、ワゴンタイプとセダンタイプとでは、傾斜窓枠を含む前部シート側のルーフ縁部の形状が同じであるが、ワゴンタイプでは後部シート側のルーフ縁部の形状がほゞ直線状であり、セダンタイプではやゝカーブを描く点で微妙に異なるものである。
【０００６】
【発明が解決しようとする課題】
ところが、これらのルーフの形状に合わせて、傾斜窓枠から後部シート側にわたるルーフバイザーを射出成形するには、ルーフバイザーが余りにも長尺であるために、製造コストが非常に高くつく多数種の射出成形金型を必要とし、更には、射出成形後の冷却に伴って、ルーフバイザーが捩じれ気味になったり反り気味になったりし易い傾向があったのである。
【０００７】
また、自動車のディーラーやカーアクセサリーショップなどでは、例えばカーペットマットやスプラッシュボード、ナンバープレートベースなどにルーフバイザーを加えて、これらをナイロン袋やダンボール箱などに収納してキット販売することが多いが、これらのキット商品のうち、ルーフバイザーだけが長尺であるために、キットの梱包費や運送費が嵩んで不経済であり、しかも、キットの取り扱いに不便であるばかりでなく、キットの展示場所や保管場所を広く確保する必要があるといった問題点があった。
【０００８】
かゝる実情に鑑み、本発明は、捩じれや反りが生じ難く、しかも、射出成形金型の大幅なコストダウンが達成される上に、キット販売をする上で好適と成したルーフバイザーを提供することを目的としている。
【０００９】
【課題を解決するための手段】
上記の目的を達成するために本発明が講じた技術的手段は、次の通りである。即ち、第１発明による自動車用のルーフバイザーは、フロントガラス側部の傾斜窓枠からルーフ側部の後部シート側にわたって設けられる自動車用のルーフバイザーであって、窓枠側部の傾斜バイザー部分にルーフ前部側のバイザー部分を一体に連ねた前部バイザーと、これとは別体のルーフ後部のバイザーと、これらの前後部のバイザーにわたる化粧カバーとから成り、かつ、前後部のバイザーの内側面に、自動車本体に対するバイザー取り付け金具を設けてあり、前記バイザー取り付け金具が、前後部のバイザーのそれぞれに一体化されて自動車本体のドリップモールに上方から係合する第１金具と、ドリップモールに下方から係合して第１金具にビス止めされる第２金具とから成り、かつ、上記のビスによって第１及び第２金具間に共締めされる連結金具を、前部バイザーの後部側のバイザー取り付け金具と、後部バイザーの前部側のバイザー取り付け金具とにわたって連結可能に備えると共に、この連結金具に前記化粧カバーをビス止めするように構成した点に特徴がある。
【００１０】
【００１１】
第２発明による自動車用のルーフバイザーにあっては、前記化粧カバーの内側面に、この化粧カバーとによって前部バイザーの後部側と後部バイザーの前部側とを差し込み保持するバイザー保持部材を設けて、化粧カバーを前後部のバイザーに預け持たせるように構成した点に特徴がある。
【００１２】
上記の第１、第２発明において、好ましくは、ルーフに対面するバイザーの耳部に、バイザー貼着用の離型紙付き両面粘着テープを設けて、自動車本体に対するバイザーの固定強度のアップを図ることであり、更には、前後部のバイザーの耳部間にシール材を設けて、雨水がバイザーの内面側に廻ることを、両面粘着テープとシール材とによって防止することである。
【００１３】
【発明の実施の形態】
以下、本発明の実施の形態を例示図に基づいて説明する。図１，２は同一メーカーの排気量がほゞ同じの同一車種によるワゴンタイプとセダンタイプの自動車を示している。
【００１４】
このワゴンタイプとセダンタイプの自動車は、いずれもドアには窓枠が付設されていないタイプの自動車であって、ルーフ１は、フロントガラス２側部の傾斜窓枠３を含む前部シート側のルーフ縁部１ａの形状が互いに同じであるが、ワゴンタイプでは後部シート側のルーフ縁部１ｂの形状がほゞ直線状であるのに対して、セダンタイプでは後部シート側のルーフ縁部１ｃの形状がやゝカーブを描く点で微妙に異なるもので、これらのルーフ縁部１ａ，１ｂ、１ａ，１ｃに沿わせた形状のルーフバイザー４が、傾斜窓枠３からルーフ側部の後部シート側にわたって、自動車本体のルーフ側部におけるドリップモール５に設けられている。
【００１５】
このルーフバイザー４は、傾斜窓枠３を含む前部シート側のルーフ縁部１ａに沿う形状の前部バイザー６、即ち、窓枠側部の傾斜バイザー部分６ａにルーフ前部側のバイザー部分６ｂを一体に連ねた前部バイザー６と、これとは別体のルーフ後部のバイザー７と、これら前後部のバイザー６，７にわたる化粧カバー８の３点から成り、運転手の操縦性が損なわれないように、窓枠側部の傾斜バイザー部分６ａを透明にする必要性があることから、前後部のバイザー６，７は、例えばポリカーボネイトやアクリルなどの透明の合成樹脂材によって射出成形されている。
【００１６】
化粧カバー８は、薄肉のステンレスやアルミなどの金属製であって、図３〜図５に示すように、前後部のバイザー６，７の下部側に係合するフック部ａを設けて、化粧カバー８を前後部のバイザー６，７の外側面に被せるように形成されており、かつ、内側面の周面部には、前後部のバイザー６，７に対するカバー貼着用の離型紙付き両面粘着テープ９が設けられている。尚、この化粧カバー８を合成樹脂製にしてもよい。
【００１７】
上記の前部バイザー６は、ワゴンタイプとセダンタイプとで全く同じものであるが、ルーフ後部のバイザー７については、ワゴンタイプでは後部シート側のルーフ縁部１ｂに沿う直線形状を呈し、セダンタイプでは後部シート側のルーフ縁部１ｃに沿うカーブ形状を呈するように成形されている。
【００１８】
そして、これらのバイザー６，７の内側面には、長手方向に所定の間隔を隔ててドリップモール５に対するバイザー取り付け金具１０が設けられ、この内の前部バイザー６の後部側と後部バイザー７の前部側とに設けられるバイザー取り付け金具１０，１０を利用して、前記化粧カバー８をドリップモール５に固定するためのカバー固定手段１１が設けられている。
【００１９】
更に、バイザー６，７の耳部１２の内側面には、ルーフ１に対するバイザー貼着用の離型紙付き両面粘着テープ１３が設けられ、また、前後部のバイザー６，７の耳部１２，１２間にはシール材１４が設けられるようになっていて、このシール材１４と粘着テープ１２とによって、雨水がバイザー内面側に廻ることが防止されるようになっている。
尚、図示する例では、離型紙を剥がして、両面粘着テープ９，１３によって化粧カバー８とバイザー６，７とをルーフ１とバイザー６，７とに貼着させた状態を示しているので、離型紙を図示してはいない。
【００２０】
上記のバイザー取り付け金具１０は、ドリップモール５に上方から係合する第１金具１５と、ドリップモール５に下方から係合して第１金具１５にビスｂ止めされる第２金具１６とから成り、かつ、第１金具１５のバイザー内側面に相対峙する面板に透孔ｃを形成する一方、バイザー内側面にはリベット体ｄを突出させて、このリベット体ｄを透孔ｃに挿通させてカシメることで、第１金具１５をバイザー６，７に一体化させるようにしている。
【００２１】
カバー固定手段１１は、次のように構成されている。即ち、前部バイザー６の後部側と後部バイザー７の前部側の各バイザー取り付け金具１０，１０にわたる連結金具１７に、逆Ｔ字状の板部１８を折り曲げ連設すると共に、この板部１８の端部にねじ孔ｅを形成し、かつ、前記連結金具１７の長手方向両側にビス挿通用の長孔ｆ，ｆを形成して、この連結金具１７を、上記のビスｂによって第１及び第２金具１５，１６間に共締めするようにしている。
【００２２】
そして、化粧カバー８の前記ねじ孔ｅに臨む面部を凹入させて、この凹入部にビス孔ｈを形成し、もって、前後部のバイザー６，７をドリップモール５に取り付けるための一対のバイザー取り付け金具１０，１０を利用して、このバイザー取り付け金具１０，１０にわたる連結金具１７に化粧カバー８を機械的に固定するようにしている。
【００２３】
上記の構成によれば、例えば第１金具１５をドリップモール５の上方に係合させた状態で、バイザー耳部１２の両面粘着テープ１３をルーフ１に貼着させ、かつ、第２金具１６をドリップモール５の下方に係合させて、この第２金具１６を第１金具１５にビスｂ止めすることで、前後部のバイザー６，７が自動車本体に固定される。
【００２４】
そして、前部バイザー６の後部側と後部バイザー７の前部側のバイザー取り付け金具１０，１０によるバイザー６，７の固定に際して、これらの第１及び第２金具１５，１６間に連結金具１７を共締めし、この連結金具１７に連設の板部１８のねじ孔ｅに化粧カバー８のビス孔ｈを一致させつつ、化粧カバー８のフック部ａを前後部のバイザー６，７の下部側に係合させて、両面粘着テープ９によって化粧カバー８を前後部のバイザー６，７に貼着し、かつ、ねじ孔ｅを通してビス孔ｈにビスｉを螺着することで、前後部のバイザー６，７にわたって化粧カバー８が固定される。
【００２５】
これによって、フロントガラス側部の傾斜窓枠３からルーフ側部の後部シート側にわたる長尺のルーフバイザー４が構成されるのであって、実質的に長尺のルーフバイザー４を得る上で、前後部のバイザー６，７を射出成形する２個の金型が必要になるが、この前後部のバイザー６，７のそれぞれが短尺であることから金型の製造コストが極めて廉価となり、かつ、前後部のバイザー６，７のそれぞれが短尺故に、射出成形後の冷却に伴って、たとえ捩じれや反りが生じたとしても、その度合いは僅かなものとなる。
【００２６】
特に上記の実施例のように、同一メーカーの排気量がほゞ同じで且つ同一車種のワゴンタイプとセダンタイプの自動車を対象にする場合は、傾斜窓枠３を含む前部側のルーフ縁部１ａの形状が同じであることから、このルーフ縁部１ａに沿う形状の前部バイザー６を両タイプのルーフバイザー４に兼用することができ、従って、合計で３個の金型を用意し、かつ、化粧カバー８をも兼用することで、実質的に長尺の２種類のルーフバイザー４をコスト的に安価に提供することができる。
【００２７】
勿論、排気量が異なる同一メーカーの同一車種の自動車であっても、フロントガラス側部の傾斜窓枠を含む前部シート側のルーフ縁部の形状が互いに同じである場合は、このルーフ縁部に沿う形状の前部バイザーを兼用できることから、車体のサイズに関連して形状的に異なる後部シート側のバイザーを、その車体のサイズに合わせて複数種を用意することで、実質的に長尺のルーフバイザーをコスト的に安価に提供することができる。
【００２８】
また、上記構成のルーフバイザー４を組み立てるまでは、化粧カバー８とバイザー取り付け金具１０を含めて、前後部のバイザー６，７をコンパクトに纏め得ることから、カーペットマットなどに加えてルーフバイザー４をキット化させても、そのキットがコンパクトなものとなることから、キットの梱包費や運搬費が安く且つ展示場所や保管場所が狭くて済む上に、取り扱いも良好なものとなり、ルーフバイザー４を含めてのカーペットマットなどのキット販売の促進に寄与することができる。
【００２９】
尚、上記の構成によるルーフバイザー４においては、前後部のバイザー６，７が別体物であることから、前部バイザー６のみをドリップモール５に取り付ける形態を選ぶことが可能であり、このような形態をとった際の見栄えをよくするために、図３に示すように、前部バイザー６の後部側の下端部に丸みｊを有せしめているが、この後部側の下端部を、後部バイザー７の前部側の下端部のように角張らせてもよい。
【００３０】
図６，７にカバー固定手段１１の別実施例を示している。この実施例では、化粧カバー８を、アルミなどの金属製あるいは合成樹脂製にして、この化粧カバー８の内側面に、この化粧カバー８とによって前部バイザー６の後部側と後部バイザー７の前部側とを差し込み保持するバイザー保持部材１９を設けて、化粧カバー８を前後部のバイザー６，７に預け持たせるように構成した点に特徴を有するものである。
【００３１】
具体的には、化粧カバー８の内側面に、Ｔ字状のバイザー保持部材１９を一体に連設して、例えば前部バイザー６をドリップモール５に取り付けて後に、この前部バイザー６の後部側を化粧カバー８とバイザー保持部材１９との間に差し込むように、化粧カバー８をセットし、次いで、この化粧カバー８とバイザー保持部材１９との間に後部バイザー７の前部側を差し込むように、後部バイザー７をドリップモール５に取り付けて、化粧カバー８を前後部のバイザー６，７に預け持たせて、長尺のルーフバイザー４を構成するようにしているのである。
【００３２】
即ち、図３に示す実施例では、前部バイザー６の後部側と後部バイザー７の前部側とに設けられるバイザー取り付け金具１０，１０を利用して、これに化粧カバー８を固定させるようにしているのに対して、この実施例では、バイザー取り付け金具１０によってドリップモール５に取り付けられる前後部のバイザー６，７を利用して、これに化粧カバー８を預け持たせるようにしているもので、いずれの構造にしても、例えばバイザー取り付け金具１０の如きカバー固定手段を自動車本体に設けるに比較して、化粧カバー８をコスト的に安価に固定できる点に特徴がある。
【００３３】
尚、Ｔ字状のバイザー保持部材１９を設けることに代えて、化粧カバー８の両端側にバイザー差し込み凹部を形成しても、化粧カバー８をコスト的に安価に固定できることに変わりはない。
【００３４】
また、化粧カバー８を中空の構成にして、前後部のバイザー６，７を差し込むようにし、かつ、この化粧カバー８を専用のカバー固定手段によって自動車本体に固定したり、或いは、上記のバイザー保持部材１９を設けた化粧カバー８や、両端側にバイザー差し込み凹部を形成した化粧カバー８を、それぞれ専用のカバー固定手段で自動車本体に固定したりして、この化粧カバー８に前後部のバイザー６，７を預け持たせるようにすれば、前部バイザー６の後部側と後部バイザー７の前部側とに対するバイザー取り付け金具１０，１０を省略することが可能である。
【００３５】
【発明の効果】
以上説明したように、本発明による自動車用のルーフバイザーは、それぞれが短尺の前後部のバイザーと化粧カバーとから成るので、前後部のバイザーを射出成形するためには２個の金型を要するが、その金型の製造コストが安くつくことから、実質的に長尺のルーフバイザーを安価に提供することができる。
【００３６】
特に、同一メーカーの排気量が異なる同一車種の自動車や、同一メーカーの排気量がほゞ同じで且つ同一車種のワゴンタイプとセダンタイプの自動車、即ち、傾斜窓枠を含む前部側のルーフ縁部の形状が同じである自動車を対象にしてルーフバイザーを構成する場合は、上記の前部バイザーを兼用できることに加えて化粧カバーをも兼用できることから、実質的に長尺のルーフバイザーをより一層、コスト的に安価に提供することができる。
【００３７】
また、前後部のバイザーのそれぞれが短尺であることから、射出成形後の冷却に伴って、たとえ捩じれや反りが生じたとしても、その度合いは僅かで見栄えの良いものとなり、更に、カーペットマットなどに加えてルーフバイザーをキット化させても、そのキットがコンパクトに纏まることから、キットの梱包費や運搬費が安く且つ展示場所や保管場所が狭くて済む上に、取り扱いも良好なものとなり、ルーフバイザーを含めてのカーペットマットなどのキット販売の促進に寄与することができる。
【図面の簡単な説明】
【図１】  ワゴンタイプの自動車の側面図である。
【図２】  セダンタイプの自動車の側面図である。
【図３】  ルーフバイザーの主要部の分解斜視図である。
【図４】  バイザー取り付け金具を示すルーフバイザーの断面図である。
【図５】  カバー固定手段を示すルーフバイザーの断面図である。
【図６】  別実施例のカバー固定手段を示す断面図である。
【図７】  図６のＡ−Ａ線断面図である。
【符号の説明】
２…フロントガラス、３…傾斜窓枠、５…ドリップモール、６…前部バイザー、６ａ…傾斜バイザー部分、６ｂ…ルーフ前部側のバイザー部分、７…後部バイザー、８…化粧カバー、１０…バイザー取り付け金具、１２…耳部、１３…両面粘着テープ、１４…シール材、１５…第１金具、１６…第２金具、１７…連結金具、１９…バイザー保持部材、ｂ，ｉ…ビス。
【図１】
0003658053.tif 000002
【図２】
0003658053.tif 000003
【図３】
0003658053.tif 000004
【図４】
0003658053.tif 000005
【図５】
0003658053.tif 000006
【図６】
0003658053.tif 000007
【図７】
0003658053.tif 000008